(57)【要約】【課題】  フィルムに穿孔加工を施す加工工程を不要とし、高価な微細孔を施した特殊なフィルムを使用する必要性もなく、通常の無孔のフィルムを使用して、貝割れ大根のような発芽茎状野菜を、流通過程や販売過程を経て各家庭で調理するまで新鮮に維持させておくことができる容器を提供すること。【解決手段】  合成樹脂シート素材を方形筒状に膨出成形させた上部解放容器であって、該容器１の深さｄが、平面視での開口部２の横幅ｂ及び前後幅ｓの何れよりも深く形成されていて、前後の壁面１１，１１には、少なくとも上半部分が平坦面に形成され、左右の壁面１２，１２には縦長方向に沿った多数の補強リブ１３が形成され、開口部２の周辺には外向きに突出する適宜幅のフランジ部２１が形成され、該フランジ部２１には下方に向かって降下した複数の空気流通用段部２２が形成されている構造としたもの。【選択図】        図１
0003132434.tif 000002
【実用新案登録請求の範囲】
【請求項１】
合成樹脂シート素材を用いて略正方形や長方形の切頭角錐型の筒状に膨出成形させた上部解放容器であって、該容器(1)の深さ(d)が、平面視での開口部(2)の横幅(b)及び前後幅(s)の何れよりも深く形成されていて、前後の壁面(11，11)には、少なくとも上半部分が平坦面に形成され、左右の壁面(12，12)には縦長方向に沿った多数の補強リブ(13)が形成され、開口部(2)の周辺には外向きに突出する適宜幅のフランジ部(21)が形成され、該フランジ部(21)には下方に向かって降下した複数の空気流通用段部(22)が形成されている発芽茎状野菜用の容器。
【請求項２】
空気流通用段部(22)を除くフランジ部(21)の上面には、長手方向に沿ったフィルム接着用リブ(23)が突出形成されている請求項１に記載の発芽茎状野菜用の容器。
【考案の詳細な説明】
【技術分野】
【０００１】
本考案は、合成樹脂製シート素材を方形筒状に膨出させたて深絞り状に形成した合成樹脂製の容器であって、主として貝割れ大根や貝割れブロッコリー・貝割れそば等のような種子を密に播いて徒長させた発芽間もない未成長・未成熟の茎状野菜（以下発芽茎状野菜という）の包装に使用する容器に関するものである。
【背景技術】
【０００２】
この種の貝割れ大根に代表される発芽茎状野菜の包装容器としては、平面積に比して深さを深く形成した深絞り形の樹脂製容器は既に実施され、市場を介して一般にも知られるに至っている。このことは既に周知のことであるが、敢えて記載すれば、次の特許文献１や特許文献２に見られるとおりである。
【特許文献１】特開２００４−２４２５７５号公報
【特許文献２】特開２００４−２４２５７６号公報
【特許文献３】特開平７−３１５３８４号公報
【考案の開示】
【考案が解決しようとする課題】
【０００３】
しかしながら、従来のこの種の深絞り形の樹脂容器であって、貝割れ大根用の容器として使用されている容器にあっては、開口部に蓋としてのフィルムを加熱融着するに当たって全面融着しているため、内部に封入した貝割れ大根の鮮度の低下が激しく、殊に、夏期においては、常温では高温になって生育が止まり、新鮮さが早期に失われてしまうという課題を有するものとなっていた。
【０００４】
その対策として、蓋としての封緘用フィルムに複数個の穿孔加工を施して、内部空気の発散を促すようにしたり、無数の微細な孔を穿孔加工してある特殊な封緘用フィルムを使用して封緘していた。
【０００５】
しかしながら、前者の複数個の穿孔加工を施したフィルムにあっては、穿孔加工のための加工工程を必要とし、高価なものとならざるを得ず、また、後者の無数の微細な孔を穿孔加工してある特殊な封緘用フィルムの場合には、そのフィルム自体が高価なものであるため、結果的にコスト高とならざるを得ないという課題を有するものとなっていた。
【０００６】
そこで本考案は、これらの従来の封緘手段が有していた課題を根本的に解決することを目的とし、フィルムに穿孔加工を施す加工工程を必要とすることなく、また、高価な微細孔を施してある特殊なフィルムを使用する必要性もなく、未だ未成長で、成長途中にある貝割れ大根のような発芽茎状野菜を、流通過程や販売過程を経て各家庭において調理するまで容器内の野菜を新鮮に維持させておくことができる容器を提供しようとするものである。
【課題を解決するための手段】
【０００７】
この課題を解決するために講じた本考案にいうところの発芽茎状野菜用の容器は、合成樹脂シート素材を方形筒状に膨出成形させた上部解放容器であって、該容器１の深さｄが、平面視での開口部２の横幅ｂ及び前後幅ｓの何れよりも深く形成されていて、前後の壁面１１，１１には、少なくとも上半部分が平坦面に形成され、左右の壁面１２，１２には縦長方向に沿った多数の補強リブ１３が形成され、開口部２の周辺には外向きに突出する適宜幅のフランジ部２１が形成され、該フランジ部２１には下方に向かって降下した複数の空気流通用段部２２が形成されている構造としたものである。
【０００８】
また、請求項２に記載の構成は、開口部２の周辺に形成した空気流通用段部２２を除くフランジ部２１の上面に、長手方向に沿ったフィルム接着用リブ２３が突出形成されている構造としたことにある。
【考案の効果】
【０００９】
以上の構成から明らかなように本考案は、上部解放形の深絞り形容器であって、開口部の周辺に外向きに突出するフランジ部が形成されていて、このフランジ部を周方向において平坦なものとすることなく、下方に向かって降下した複数の空気流通用段部を形成してあるものとすることによって、貝割れ大根のような発芽茎状野菜を容器内に収容させた後の開口部の封緘作業に当たって、封緘用フィルムとしては内部透視可能な無孔のフィルムを使用して、従来から一般に使用されている通常の熱圧着シール機を用いてシールするだけでよいので、低コストで封緘することができるものでありながら、流通過程や販売過程を経て各家庭において調理するまで容器内の野菜を新鮮に維持させておくことができるという顕著な効果を有するに至ったのである。
【００１０】
また、深絞り形とした容器の前後の壁面を、少なくともその上半部分を平坦面に形成してあるものとし、左右の壁面には縦長方向に沿った多数のリブが形成されているものとしたことによって、シート素材の深絞り加工によって、薄膜化して上下方向の圧縮強度の低下し易い容器の強度を多数のリブによって強化し、併せて、ラベル等の貼付面も確保できる
という効果も有するものである。
【００１１】
さらに、請求項２に記載のように、容器の開口部の周辺部に形成したフランジ部において、空気流通用段部を除いて、フランジ部２１の上面に、長手方向に沿ったフィルム接着用リブが突出形成されている構成としておくことによって、このリブの上面にフィルムを集中加熱して確実な接着を行うことができる利点がある。
【考案を実施するための最良の形態】
【００１２】
本考案にかかる発芽茎状野菜用の容器を実施するに当たっては、合成樹脂シート素材の厚さと、容器の平面積と深さの関係を考慮して、かつ、左右の壁面に形成したリブの補強強度とを配慮して、できる限り薄いシート素材を用い、深絞り成形手段によって所定の形状に成形するのが、コスト的に好ましい。
【実施例】
【００１３】
以下本考案の詳細を実施例図面に基づいて説明する。図１は本考案の実施例を示す貝割れ大根用として用いる容器の斜視図であり、図２はその正面図、図３は同平面図、図４は同底面図、図５は同左側面図である。なお、背面図は正面図と、右側面図は左側面図と同形であるので、使用していない。
【００１４】
該実施例に示した貝割れ大根用の容器１は、一般に公知であるように、合成樹脂シート素材を深絞り成形させた容器である。この容器１の大きさは一定のものではないが、実施例図のものの概寸を示すと、図２及び図５に示した容器１の上下の長さ、実質的に容器１の深さｄは１４０〜１５０ｍｍ程度であり、図３の平面図において、その上下幅ｂは７０〜８０ｍｍ、横幅ｓは１２０〜１３０ｍｍ程度の大きさとしたものである。
【００１５】
この深絞り成形容器の大きさは、言うまでもなく概寸であって、内装するスプラウトの種類によっても、成長度によっても最適の大きさの容器が使用されるものであることは当然である。殊に、上下方向の寸法、即ち容器の深さは、スプラウトの長さよりも少し長くて、上部に成長空間をもたせてある大きさのものが好ましい。
【００１６】
而して、該実施例に示した容器の構造は、図１の斜視図から明らかなように、合成樹脂シート素材を長方形の切頭角錐形に膨出成形させた上部開口の容器であって、図２に記載のように容器１の深さｄを、図３に示した平面視での開口部２の横幅ｂ及び前後幅ｓの何れよりも深い形状に形成してある容器である。
【００１７】
また、この容器１は、前後の壁面１１，１１を、下半部分だけに上下方向に伸びる多数の先細リブ１４を平行に形成し、上半部分を凹凸の形成されていない平坦面とし、ラベルＬや生産者や出荷日等の所要事項を印刷した印刷紙等の貼着面としてあり、左右の壁面１２，１２は、上下方向のほぼ全長に亘って伸びる縦長方向に沿った多数の補強リブ１３を形成して、深さ方向の強度を保持させてある。
【００１８】
前記開口部２の周辺には、外向きに突出する適宜幅のフランジ部２１を形成し、該フランジ部２１には、横幅方向において２カ所、前後方向において１カ所、両端部分を傾斜面として下方に向かって降下させた空気流通用段部２２を形成してある。
【００１９】
更には、開口部２の周辺に形成した前記空気流通用段部２２を除く、残余のフランジ部２１上面の幅方向の中央部分に、長手方向に沿って細幅のフィルム接着用リブ２３を突出形成してある構造としたものである。
【００２０】
本実施例に示した容器は、このような構造としたものであるから、通常の無孔のフイルムを使用して、容器の開口部を封緘しても、容器内に収容させた貝割れ大根その他の発芽茎状野菜は、この空気流通用段部２２によって封緘フィルムの直下に確保された空気流通空間の存在により、空気の流通が自動的に確保されるので、この容器内に収容させた発芽茎状野菜を購入した消費者は、採りたての新鮮さを保持した有する発芽茎状野菜を廉価に食することができる利益を得ることができるのである。
【００２１】
以上本考案の代表的と思われる実施例について説明したが、本考案は必ずしもこの実施例に示した形状の容器のみに限定されるものではなく、本考案にいう前記の構成要件を備え、かつ、効果を有する範囲内において適宜の形状のものに改変して実施することができるものである。
【産業上の利用可能性】
【００２２】
本考案にいうところの発芽茎状野菜用の容器は、このように安価に製造することが出来て市場に提供することが出来るものでありながら、容器内に収容させた発芽茎状野菜を購入した消費者の使用時まで新鮮さを保持させておくことができるので、市場において大いに活用されると思われるものである。
【図面の簡単な説明】
【００２３】
【図１】本考案の容器の開口状態の斜視図。
【図２】図１の容器の正面図。
【図３】同容器の平面図。
【図４】同容器の底面図。
【図５】同容器の左側面図。
【符号の説明】
【００２４】
１  容器
１１  前後の壁面
１２  左右の壁面
１３  リブ
２  開口部
２１  フランジ部
２２  空気流通用段部
２３  フィルム接着用リブ
【図１】
0003132434.tif 000003
【図２】
0003132434.tif 000004
【図３】
0003132434.tif 000005
【図４】
0003132434.tif 000006
【図５】
0003132434.tif 000007